(57)【要約】【課題】縫製対象物に縫製される模様と縫製対象物上に配置される装飾部品との位置決めを容易に行わせることができるミシンを提供する。【解決手段】装飾部品１６は、形成データに基づき切断装置によって保持体に形成された穴部に保持され、互いに位置決めされた状態で転写シート２０に接着される。ミシンは刺繍データに基づき、加工布７３に刺繍模様１５を形成する。ミシンは基準データに基づき、照射機構によって加工布７３上に光のマーク６０を形成する。ユーザは、転写シート２０を移動して、装飾部品１６Ａ，１６Ｂをマーク６０の両側の端部６０Ａ，６０Ｂの標示位置に配置する。これにより、転写シート２０に保持される装飾部品１６は、刺繍模様１５の縫製位置に対応する配置位置に夫々正しく配置される。【選択図】図８
2016140678.tif 000002
【特許請求の範囲】
【請求項１】
縫製対象物に模様を縫製する縫製部と、
前記縫製部によって前記縫製対象物上に縫製される前記模様の縫製位置と、前記縫製対象物上に配置される装飾部品の配置位置との相対的な位置関係を示す基準データを取得する第一取得手段と、
前記第一取得手段によって取得された前記基準データに基づいて、前記縫製位置に対応する前記配置位置を特定するマークを標示する標示手段と
を備えることを特徴とするミシン。
【請求項２】
前記装飾部品は、複数の穴部が形成された保持体の前記複数の穴部に基づき、複数の前記装飾部品同士が位置決めされた状態で、前記配置位置に配置されるものであり、
前記基準データは、前記縫製位置と、前記保持体に形成された前記穴部の形成位置との相対的な位置関係を示すデータであることを特徴とする請求項１に記載のミシン。
【請求項３】
前記標示手段は、前記保持体における前記複数の穴部の前記形成位置のうち、少なくとも２以上の前記穴部の前記形成位置に対応する前記配置位置を特定する前記マークを標示することを特徴とする請求項２に記載のミシン。
【請求項４】
前記標示手段が対象とする前記穴部の前記形成位置は、少なくとも３以上の前記穴部の前記形成位置であり、且つ、夫々の前記形成位置を頂点とする仮想的な多角形の形状が非正多角形となる位置関係を有することを特徴とする請求項３に記載のミシン。
【請求項５】
前記形成位置を示す形成データを取得する第二取得手段と、
前記第二取得手段によって取得された前記形成データに基づいて、前記保持体に前記穴部を形成する形成部と
を更に備え、
前記形成データは、
前記保持体に形成される前記穴部のうち、前記装飾部品の前記配置位置に対応する第一穴部の前記形成位置を示す第一形成データと、
前記基準データと、前記第一穴部の前記形成位置とに基づいて、前記保持体に形成される前記穴部のうち、前記配置位置を特定するために用いられる第二穴部の前記形成位置を示す第二形成データと
を含み、
前記形成部は、前記第一形成データ及び前記第二形成データに基づいて、前記保持体に前記穴部を形成し、
前記標示手段は、前記第二形成データに基づいて、前記第二穴部の前記形成位置に対応する前記配置位置を特定する前記マークを標示すること
を特徴とする請求項２から４のいずれかに記載のミシン。
【請求項６】
前記第二形成データに示される前記第二穴部の前記形成位置は、前記第一形成データに示される前記第一穴部の前記形成位置の全てを含む最小の矩形領域よりも外側に位置することを特徴とする請求項５に記載のミシン。
【請求項７】
前記形成部は、前記保持体を前記形成位置において前記穴部の形状に切断し、前記穴部を形成することを特徴とする請求項５から６のいずれかに記載のミシン。
【請求項８】
前記縫製対象物を撮像する撮像部と、
前記撮像部によって撮像された前記縫製対象物の画像を表示する表示部と
を更に備え、
前記標示手段は、前記表示部を制御して、前記縫製対象物上の前記マークの標示位置に対応する前記縫製対象物の画像上の位置に、前記マークを表すマーク画像を重ねて表示させること
を特徴とする請求項１から７のいずれかに記載のミシン。
【請求項９】
前記縫製対象物へ向けて光を照射する照射部を更に備え、
前記標示手段は、前記照射部を制御して、前記縫製対象物上の前記マークの標示位置に、照射形状によって前記マークを表す光を照射させること
を特徴とする請求項１から７のいずれかに記載のミシン。
【請求項１０】
前記標示手段は、前記縫製部を制御して、前記縫製対象物上の前記マークの標示位置に、前記マークを表す目印用の縫目を縫製させること
を特徴とする請求項１から７のいずれかに記載のミシン。
【発明の詳細な説明】
【技術分野】
【０００１】
本発明は、縫製対象物に模様を縫製するミシンに関する。
【背景技術】
【０００２】
例えばラインストーン等の装飾部品を配置するシート材を作成する切断装置が知られている（例えば特許文献１参照）。切断装置は、切断データに従ってシート材を切断し、ラインストーンを配置する複数の穴を形成することができる。シート材の各穴に配置されたラインストーンは、転写シートに貼り付けられてシート材から取り出され、互いの位置関係を維持したまま布等の上に配置される。ラインストーンは、裏面にホットメルト層を有しており、アイロン等を用いて布に接着され、固定される。
【先行技術文献】
【特許文献】
【０００３】
【特許文献１】特開２０１４−１２４７４８号公報
【発明の概要】
【発明が解決しようとする課題】
【０００４】
しかしながら、刺繍などの模様が縫製された布上にラインストーンが固定される場合、転写シートに貼り付けられた複数のラインストーンの夫々を模様と位置合わせしながら全体を位置決めするのは難しいという問題があった。
【０００５】
本発明は、縫製対象物に縫製される模様と縫製対象物上に配置される装飾部品との位置決めを容易に行わせることができるミシンを提供することを目的とする。
【課題を解決するための手段】
【０００６】
本発明の一態様に係るミシンは、縫製対象物に模様を縫製する縫製部と、前記縫製部によって前記縫製対象物上に縫製される前記模様の縫製位置と、前記縫製対象物上に配置される装飾部品の配置位置との相対的な位置関係を示す基準データを取得する第一取得手段と、前記第一取得手段によって取得された前記基準データに基づいて、前記縫製位置に対応する前記配置位置を特定するマークを標示する標示手段とを備えることを特徴とする。
【０００７】
本態様に係るミシンによれば、ユーザは、縫製対象物上に装飾部品を配置する場合に、マークによって特定される配置位置に装飾部品を配置するだけで、容易に、模様の縫製位置に対する装飾部品の配置位置を正しい位置関係とすることができる。
【図面の簡単な説明】
【０００８】
【図１】刺繍枠７が原点位置に移送された状態のミシン１の斜視図である。
【図２】頭部５付近の構成を示すミシン１の左側面図である。
【図３】刺繍枠７が退避位置に移送された状態のミシン１の斜視図である。
【図４】ミシン１の電気的構成を示すブロック図である。
【図５】加工布７３に装飾模様１７が形成された様子を示す図である。
【図６】加工布７３に装飾模様１７が形成される過程を示す流れ図である。
【図７】標示処理のフローチャートである。
【図８】刺繍枠７が退避位置に移送された状態において、刺繍模様１５の縫製位置と装飾部品１６の配置位置との位置合わせが行われる様子を示す図である。
【図９】第一変形例における標示処理のフローチャートである。
【図１０】第二変形例における保持体１１８の形成位置と装飾部品１１６の配置位置と刺繍模様１１５の形成位置との関係を示す図である。
【図１１】第三変形例における切断針装置２１１の左側面図である。
【発明を実施するための形態】
【０００９】
以下、本発明を具現化した一実施の形態について、図面を参照して説明する。本実施形態は、縫製対象物（例えば、加工布）に模様を縫製するミシンに本発明を適用した場合の一例である。本実施形態における模様とは、刺繍データに基づいて縫製する刺繍模様をいう。刺繍模様とは、刺繍によって形成される、例えば文字や図形等の模様である。
【００１０】
まず、ミシン１の物理的構成について、図１〜図３を参照して説明する。以下の説明では、図１の上側、下側、左下側、右上側、右下側、左上側を、夫々ミシン１の上側、下側、左側、右側、前側、後側と定義する。つまり、後述する液晶ディスプレイ（以下、「ＬＣＤ」という。）３１の配置された面が、ミシン１の前面である。ベッド部２及びアーム部４の長手方向がミシン１の左右方向であり、脚柱部３の配置されている側が右側である。脚柱部３の伸長方向がミシン１の上下方向である。
【００１１】
図１に示すように、ミシン１は、ベッド部２、脚柱部３、アーム部４、及び頭部５を備える。ベッド部２は、左右方向に延びるミシン１の土台部である。脚柱部３は、ベッド部２の右端部から上方へ立設されている。アーム部４は、ベッド部２に対向して脚柱部３の上部から左方へ延びる。頭部５は、アーム部４の左先端部に連結する部位である。
【００１２】
図１，図２に示すように、ベッド部２上面には、矩形状の針板２１が配設されている。針板２１の上面は、ベッド部２上面と略同じ平面を構成する。ベッド部２及び針板２１の上面には、縫製時に、刺繍枠７に保持された加工布７３（図３参照）が載置される。針板２１は、頭部５に設けられる針棒５１の下方に配設される。針板２１には、厚み方向に貫通する針穴（図示略）が形成されている。針穴は、左右方向に延びる長円状の穴である。縫製時、針棒５１の下端に装着された縫針５２の針先が、針棒５１の上下動に伴い針穴を挿通する。
【００１３】
ベッド部２内には下軸（図示略）が設けられている。下軸は、後述する主軸（図示略）によって回転駆動される。針板２１下側のベッド部２内には、送り機構（図示略）、釜機構２２（図４参照）等が設けられている。送り機構は、送り歯（図示略）を駆動する機構である。送り歯は、後述する移送機構６をミシン１に装着していない状態で、実用模様又は飾り模様の縫製を行うときに加工布を移送する。実用模様とは、直線、ジグザグ、裁ち目かがり等、実用的な縫目によって形成される模様である。飾り模様とは、例えば、三角形等の幾何学的模様、花柄等の模式的な模様等を単位模様とし、連続的に複数個縫製することで形成される模様である。釜機構２２は縫針５２と協働し、加工布に縫目を形成する周知構成の機構である。
【００１４】
図１に示すように、脚柱部３の前面には、ＬＣＤ３１が設けられている。ＬＣＤ３１は正面視上下方向に延びる長方形形状である。ＬＣＤ３１には、コマンド、イラスト、設定値、メッセージ等の様々な項目を含む画面が表示される。ＬＣＤ３１の前面側には、タッチパネル３２が設けられている。タッチパネル３２は、指又は専用のタッチペン等を用いた操作の入力を受け付ける。脚柱部３内には、ミシンモータ３３（図４参照）、制御部８（図４参照）等が設けられている。ミシンモータ３３は、アーム部４内に設けられる主軸（図示略）を回転駆動する。主軸と下軸はタイミングベルト（図示略）で連結されている。主軸の回転が下軸に伝達され、主軸と下軸は同期して回転する。脚柱部３の右側面には、ＵＳＢコネクタ（図示略）が設けられている。
【００１５】
ミシン１は、ＵＳＢコネクタに接続されるＵＳＢケーブル１２を介し、公知のパーソナルコンピュータ（ＰＣ）１０と接続することができる。後述する標示処理において、ミシン１は、ＰＣ１０から受信する刺繍データに基づいて加工布７３に刺繍模様を縫製し、基準データに基づいて、刺繍模様が縫製された加工布７３上にマーク６０（図８参照）を標示する。なお、本実施形態では、ＰＣ１０は、ＵＳＢケーブル１３を介し、切断装置１１と接続されている。切断装置１１は、紙や布を任意の形状に切断することができる周知の構成の装置である。本実施形態では、切断装置１１は、ＰＣ１０から送信される形成データに基づいて、装飾部品１６を保持するための保持体１８に複数の穴部１９を形成する（図６参照）。
【００１６】
アーム部４は、開閉可能なカバー４１を上部に備える。なお、図１では、カバー４１は閉じた状態である。カバー４１の下方には、糸駒（図示略）が収容される。縫製時、糸駒に巻回された上糸（図示略）は、糸駒から、頭部５に設けられた所定の経路を経由して、針棒５１に装着された縫針５２に供給される。アーム部４の前面下部には、縫製の開始・停止スイッチ等を含む複数の操作スイッチ４２が設けられている。
【００１７】
図２に示すように、頭部５には、針棒５１、押え棒５３、上下動モータ５０（図４参照）、針棒上下動機構５５（図４参照）、上下レバー５４、イメージセンサ５６、照射機構５７等が設けられている。針棒５１と押え棒５３は、頭部５の下端部から下方に延びる。針棒５１の下端には、縫針５２を装着可能である。押え棒５３は、上下レバー５４の操作又は上下動モータ５０の駆動によって上下に移動する。押え棒５３の下端部には、押え足５３Ａが装着されている。押え足５３Ａは押え棒５３から取り外し可能である。針棒上下動機構５５は、主軸の回転に伴って針棒５１を上下動させる機構である。
【００１８】
イメージセンサ５６は、例えば、周知のＣＭＯＳ（Complementary Metal Oxide Semiconductor）イメージセンサである。イメージセンサ５６は、頭部５下部で、ミシン１の機枠（図示略）に固定される。イメージセンサ５６は、所定の範囲の画像を撮像し、その画像データを出力する。出力された画像データは、制御部８のＲＡＭ８３（図４参照）の所定の記憶エリアに記憶される。イメージセンサ５６には、広角レンズ（図示略）が取り付けられている。イメージセンサ５６は、後述する刺繍枠７が図１に例示する原点位置に移送された場合と、図３に例示する退避位置に移送された場合とにおいて、刺繍枠７の内枠７１内を撮像することができる。
【００１９】
なお、本実施形態では、イメージセンサ５６が生成した画像データによって表される撮像画像の座標系が、予め、フラッシュメモリ８４に記憶されたパラメータによって、空間全体の座標系（以下、「ワールド座標系」ともいう。）に関連付けられている。また、後述する移送機構６によって刺繍枠７が移送される固有のＸＹ座標系（刺繍座標系）も、予め、フラッシュメモリ８４に記憶されたパラメータによって、ワールド座標系に関連付けられている。このため、ミシン１は、画像データに基づき、刺繍座標系の座標を特定する処理を実行可能である。よって、ミシン１は、加工布７３に縫製される刺繍模様の位置を、撮像画像から特定することができる。
【００２０】
照射機構５７は、光のマーク６０（図８参照）を標示する。マーク６０は、後述する装飾部品１６が加工布７３上に配置される時に、刺繍模様１５と装飾部品１６との位置合わせの基準として用いられる。照射機構５７は、頭部５下部で、ミシン１の機枠（図示略）に固定される。照射機構５７は、移動モータ５８とレーザ発光器５９を備える。レーザ発光器５９は赤色光を反射鏡（図示略）へ向けて出射する。移動モータ５８はパルスモータであり、ギア機構（図示略）を駆動してレーザ発光器５９が出射する赤色光の出射方向を変更する。レーザ発光器５９が出射する赤色光は、反射鏡で反射され、レンチキュラーレンズ（図示略）に入射する。レンチキュラーレンズに入射した赤色光は屈折され、前後方向に広げられて、レンチキュラーレンズの下方へ向けて出射される。なお、本実施形態の照射機構５７は、レンチキュラーレンズに更にフィルタを設け、ギア機構の駆動によってフィルタの絞りを調整し、赤色光の前後方向の長さを調整できるものとする。レンチキュラーレンズから出射された赤色光は、照射機構５７の下方に位置するベッド部２の上面へ向けて照射される。後述する刺繍枠７が図３に例示する退避位置に移送された場合、照射機構５７は、刺繍枠７に保持される加工布７３上に光のマーク６０を標示する。
【００２１】
なお、本実施形態では、照射機構５７によって照射される赤色光の照射位置の座標系（照射座標系）が、予め、フラッシュメモリ８４に記憶されたパラメータによって、ワールド座標系に関連付けられている。このため、ミシン１は、加工布７３に縫製された刺繍模様の位置に合わせて赤色光を照射し、加工布７３上にマーク６０を標示することができる。また、マーク６０は、移送機構６をミシン１に装着していない状態で、実用模様又は飾り模様の縫製を行うときに、加工布の位置合わせの基準として用いることもできる。
【００２２】
図１、図３に示すように、ミシン１は、刺繍枠移送機構（以下、「移送機構」という。）６を備える。移送機構６は、ミシン１のベッド部２に対して着脱可能である。図１は、ミシン１に移送機構６が装着された状態を示す。移送機構６がミシン１に装着されると、移送機構６とミシン１とは電気的に接続される。移送機構６は、本体部６１及びキャリッジ６２を備える。キャリッジ６２は、本体部６１の上側に設けられている。キャリッジ６２は、前後方向に長い直方体形状である。キャリッジ６２は、枠ホルダ６３、Ｙ軸移送機構（図示略）、及びＹ軸モータ６４（図４参照）を備える。枠ホルダ６３は、キャリッジ６２の右側面に設けられている。枠ホルダ６３は、複数種類の刺繍枠７を択一的に着脱可能である。刺繍枠７は、内枠７１と外枠７２とで加工布７３（図３参照）を挟持して保持する周知構成の枠体である。刺繍枠７に保持された加工布７３は、刺繍枠７が図１に例示する原点位置に移送された場合、針板２１の上側、且つ針棒５１及び押え棒５３の下方に配置される。原点位置は、例えば、刺繍枠７の内枠７１内の中心点の位置が、針棒５１の直下に配置される位置である。Ｙ軸移送機構は、枠ホルダ６３を前後方向（Ｙ軸方向）に移送する。刺繍枠７は、枠ホルダ６３が前後方向に移送されることにより、加工布７３を前後方向に移送する。Ｙ軸モータ６４は、Ｙ軸移送機構を駆動する。
【００２３】
本体部６１は、図示しないＸ軸移送機構及びＸ軸モータ６５（図４参照）を内部に備える。Ｘ軸移送機構は、キャリッジ６２を左右方向（Ｘ軸方向）に移送する。刺繍枠７は、キャリッジ６２が左右方向に移送されることによって、加工布７３を左右方向に移送する。Ｘ軸モータ６５は、Ｘ軸移送機構を駆動する。移送機構６は、キャリッジ６２に装着された刺繍枠７を、固有のＸＹ座標系（刺繍座標系）で示される位置に移送可能である。後述する装飾部品１６は、刺繍枠７が図３に示す退避位置に移送された状態で、加工布７３上に配置される。退避位置は、例えば、刺繍枠７が、針棒５１の直下になく、且つ、照射機構５７によるマーク６０の照射可能な範囲内に配置される位置である。
【００２４】
図４を参照し、ミシン１の電気的構成について説明する。ミシン１の制御部８は、ＣＰＵ８１と、バス８６によって夫々ＣＰＵ８１に接続されたＲＯＭ８２と、ＲＡＭ８３と、フラッシュメモリ８４と、ＵＳＢインターフェイス８５と、入出力（Ｉ／Ｏ）インターフェイス８７とを備える。
【００２５】
ＣＰＵ８１は、ミシン１の主制御を司り、ＲＯＭ８２に記憶された各種プログラムに従って、縫製に関わる各種演算及び処理を実行する。ＲＯＭ８２は、図示しないが、プログラム記憶エリアを含む複数の記憶エリアを備える。プログラム記憶エリアには、ミシン１を動作させるための各種プログラムが記憶されている。記憶されたプログラムには、例えば、後述する標示処理等のプログラムがある。ＲＡＭ８３には、ＣＰＵ８１が演算処理した演算結果等を収容する記憶エリアが必要に応じて設けられる。フラッシュメモリ８４には、ミシン１が各種処理を実行するための各種パラメータが記憶される。フラッシュメモリ８４には、上記した刺繍座標系、照射座標系及びワールド座標系を互いに関連付けるパラメータも記憶されている。ＵＳＢインターフェイス８５は、ミシン１とＰＣ１０とをＵＳＢケーブル１２を介して接続するためのインターフェイスである。前述したように、ＰＣ１０は、ＵＳＢケーブル１３を介して切断装置１１に接続する。
【００２６】
Ｉ／Ｏインターフェイス８７には、駆動回路９１〜９７、操作スイッチ４２、タッチパネル３２、及びイメージセンサ５６が接続される。駆動回路９１はミシンモータ３３に接続し、ＣＰＵ８１からの制御信号に従ってミシンモータ３３を駆動する。駆動回路９２は、ＣＰＵ８１からの制御信号に従ってＬＣＤ３１を駆動し、ＬＣＤ３１に画像、操作画面等を表示させる。ＬＣＤ３１の前面側に設けられたタッチパネル３２は、指又は専用のタッチペン等を用いた操作の入力位置を示す座標データをＣＰＵ８１に出力する。ＣＰＵ８１は、タッチパネル３２から取得した座標データに基づき、ＬＣＤ３１に表示した操作画面において選択された項目を認識し、対応する処理を実行する。操作スイッチ４２は、ミシン１に対する操作の入力をタッチパネル３２とは別に受け付けて、ＣＰＵ８１に出力する。例えば、開始・停止スイッチに対する操作の入力を受け付けた時、ＣＰＵ８１は、縫製動作を開始又は停止するように制御信号を出力する。
【００２７】
駆動回路９３は上下動モータ５０に接続し、ＣＰＵ８１からの制御信号に従って上下動モータ５０を駆動する。上下動モータ５０の駆動に伴い、押え棒５３が上下に移動する。駆動回路９４はＸ軸モータ６５に接続し、ＣＰＵ８１からの制御信号に従ってＸ軸モータ６５を駆動する。駆動回路９５はＹ軸モータ６４に接続し、ＣＰＵ８１からの制御信号に従ってＹ軸モータ６４を駆動する。Ｘ軸モータ６５及びＹ軸モータ６４の駆動に伴い、制御信号に応じた移動量だけ、刺繍枠７が左右方向（Ｘ軸方向）及び前後方向（Ｙ軸方向）に移送される。イメージセンサ５６は、撮像範囲を撮像して生成した画像データを出力する。駆動回路９６は移動モータ５８に接続し、ＣＰＵ８１からの制御信号に従って移動モータ５８を駆動する。駆動回路９７はレーザ発光器５９に接続し、ＣＰＵ８１からの制御信号に従って赤色光を出射させる。移動モータ５８の駆動に伴い、レーザ発光器５９からの赤色光の出射方向が変更される。
【００２８】
ミシン１の動作を簡単に説明する。刺繍縫製時には、ミシン１のＣＰＵ８１は、ＰＣ１０から取得する刺繍データに基づいて、ミシンモータ３３の駆動と、移送機構６のＸ軸モータ６５及びＹ軸モータ６４の駆動を制御する。移送機構６によって刺繍枠７が左右方向（Ｘ軸方向）、及び前後方向（Ｙ軸方向）に移送されるのと併せて、針棒上下動機構５５及び釜機構２２が駆動される。これにより、針棒５１に装着された縫針５２によって、刺繍枠７に保持された加工布７３に対して刺繍模様が縫製される。一方、刺繍模様ではない通常の実用模様又は飾り模様の縫製時には、移送機構６はベッド部２から取り外される。ミシン１のＣＰＵ８１は、操作スイッチ４２等が受け付けた操作の入力に基づいて、ミシンモータ３３の駆動を制御する。送り機構によってベッド部２上に載置された加工布が移送されるのと合わせて、針棒上下動機構５５及び釜機構２２が駆動される。これにより、針棒５１に装着された縫針５２によって、ベッド部２上の加工布に対して実用模様又は飾り模様が縫製される。なお、実用模様又は飾り模様は、ＰＣ１０から受信する刺繍データ、或いはフラッシュメモリ８４に予め記憶された刺繍データに基づき、周知構成の針棒揺動機構（図示略）が駆動されることによって、加工布に縫製されてもよい。
【００２９】
本実施形態のミシン１は、図５に示すように、加工布７３に刺繍模様１５を刺繍した後、装飾部品１６を刺繍模様１５と組み合わせた装飾模様１７を作成するため、加工布７３上に、装飾部品１６を配置する上で目印となるマーク６０を標示することができる。刺繍模様１５を縫製するための刺繍データは、例えば、ＰＣ１０において所定のアプリケーションが実行されることによって作成される。ＰＣ１０のＣＰＵ（図示略）は、ユーザによるアプリケーションの操作に応じて刺繍模様１５の形状を編集し、編集結果に基づいて、刺繍模様１５を形成するための刺繍データを作成する。刺繍データは、例えば、刺繍枠７の内枠７１内の中心点の位置を刺繍座標系の原点の位置とし、針落ち点の位置を、縫製順に、刺繍枠７のＸ軸方向及びＹ軸方向の相対的な移動量で示したデータである。
【００３０】
装飾模様１７の作成において、複数の装飾部品１６は、予め、切断装置１１によって加工される保持体１８を用いて刺繍模様１５に合わせた配置関係で並べられ、互いの位置関係が維持された状態で、刺繍模様１５が形成された加工布７３上に配置される。本実施形態の装飾部品１６は、例えばラインストーンである。複数のラインストーンは、保持体１８に形成される複数の穴部１９（図６参照）の夫々に保持されることによって、互いに位置決めされる。切断装置１１が保持体１８に穴部１９を形成するための形成データは、例えば、ＰＣ１０において所定のアプリケーションが実行されることによって作成される。ＰＣ１０のＣＰＵは、ユーザによるアプリケーションの操作に応じて装飾部品１６同士の位置関係を決定し、互いの位置関係に基づき、保持体１８に穴部１９を形成するための形成データを作成する。形成データは、例えば、保持体１８の左上角部の位置を、保持体１８が移送される固有のＸＹ座標系（形成座標系）の原点位置とし、夫々の穴部１９の中心位置と直径とを、形成順に、保持体１８のＸ軸方向及びＹ軸方向の相対的な移動量で示したデータである。即ち、形成データは、保持体１８に形成する穴部１９の形成位置を示すデータである。形成データは、第一形成データと第二形成データとを含む。第一形成データは、刺繍模様１５の縫製位置に対応する装飾部品１６の配置位置を特定するための穴部１９の形成位置を示すデータである。第二形成データは、装飾部品１６の配置位置を位置決めするために、基準データにおいて用いる特徴的な装飾部品１６Ａ，１６Ｂ（後述）の配置位置を特定するための穴部１９の形成位置を示すデータである。
【００３１】
また、装飾模様１７の作成において、複数の装飾部品１６は、互いの位置関係が維持された状態のまま、加工布７３上に標示されるマーク６０に合わせて加工布７３上に配置されることで、夫々、刺繍模様１５の刺繍位置に対応する配置位置に配置される。ミシン１は、基準データに基づいて、ユーザが装飾部品１６を刺繍模様１５に位置合わせして配置する場合に、位置合わせの基準となるマーク６０を加工布７３上に標示する。ＰＣ１０のＣＰＵは、例えば、所定のアプリケーションの実行に従い、刺繍データと形成データとに基づいて、基準データを作成する。ＰＣ１０のＣＰＵは、形成データと刺繍データとを対応付けて、装飾部品１６の配置位置の形成座標系の座標データから、刺繍座標系の座標データを特定する。形成データには、第一形成データと第二形成データとが含まれる。基準データには、第一形成データに基づいて、夫々の装飾部品１６の配置位置を示す刺繍座標系の座標データが含まれる。基準データには、更に、第二形成データに基づいて、装飾部品１６の特徴的な配置位置、即ち装飾部品１６Ａ，１６Ｂの配置位置を示す座標データが含まれる。装飾部品１６の特徴的な配置位置とは、複数の装飾部品１６の中から容易にその装飾部品１６を特定することができる特徴を有する位置である。例えば、特徴的な配置位置は、装飾部品１６の群において端に位置する装飾部品１６の配置位置であってもよし、装飾部品１６の群から孤立した装飾部品１６の配置位置であってもよい。或いは、隣り合う装飾部品１６同士を仮想的に結ぶ直線又は曲線上において、その直線又は曲線上で装飾部品１６を辿った場合の方向が急に変化する変化点に位置する装飾部品１６の配置位置であってもよい。この場合、例えば図５に示す装飾模様１７では、ハート型を示す刺繍模様１５に合わせて配置された複数の装飾部品１６のうち、左右中央の下端に位置する装飾部品１６Ａの配置位置と、左右中央の上部に位置する装飾部品１６Ｂの配置位置とが、特徴的な配置位置として認識される。このように、基準データによって、刺繍データによって示される刺繍模様１５の縫製位置と、装飾部品１６の配置位置、ひいては、形成データによって保持体１８に形成される穴部１９の形成位置との相対的な位置関係が関連付けられる。
【００３２】
図６に示すように、装飾部品１６は、以下の過程を経て、刺繍模様１５と組み合わされて、装飾模様１７を形成する。ＰＣ１０において作成された形成データに基づき、切断装置１１は、保持体１８に複数の穴部１９を形成する（Ａ過程）。なお、穴部１９は、保持体１８を貫通する貫通孔であってもよいし、非貫通の凹部であってもよい。複数の装飾部品１６は、穴部１９が形成された保持体１８上に配置され、ブラシ等で掃かれることによって保持体１８上で広げられる。個々の装飾部品１６は穴部１９内に嵌まり、夫々、穴部１９に保持される（Ｂ過程）。装飾部品１６は、上下方向に山型の形状を有する。保持体１８上がブラシで掃かれると、山側を上向きに配置された装飾部品１６のみが穴部１９内に保持され、異なる向きに配置された装飾部品１６は、穴部１９から押し出される。
【００３３】
全ての穴部１９に装飾部品１６が配置され、装飾部品１６同士が互いに位置決めされた状態で、保持体１８上に転写シート２０が配置される（Ｃ過程）。転写シート２０は下面に粘着剤が塗布されている。保持体１８から転写シート２０を剥がすと、転写シート２０は、下面に装飾部品１６を接着した状態で保持体１８から分離される（Ｄ過程）。転写シート２０は、ミシン１において刺繍データに基づき刺繍模様１５が作成された加工布７３上に配置される（Ｅ過程）。転写シート２０が接着によって保持する装飾部品１６を加工布７３上で配置する配置位置と、加工布７３に縫製された刺繍模様１５の縫製位置との位置合わせについては後述する。転写シート２０が配置された加工布７３に、アイロン等による加熱処理が行われる（Ｆ過程）。装飾部品１６の下面には、熱可塑性の接着剤が塗布されている。装飾部品１６の底面が、接着剤によって、加工布７３の表面に固着する。転写シート２０が加工布７３上から取り除かれる（Ｇ過程）。ユーザは、刺繍模様１５に装飾部品１６を組み合わせた装飾模様１７が形成された加工布７３を得ることができる。
【００３４】
このように、加工布７３上に転写シート２０が配置されるＥ過程において、ユーザは、刺繍模様１５の縫製位置と、装飾部品１６の配置位置とを位置合わせする必要がある。本実施形態のミシン１は、刺繍模様１５の縫製後に縫製位置に対応する配置位置を特定するためのマーク６０を標示する標示処理を行う。これにより、ミシン１は、装飾部品１６の特徴的な配置位置をマーク６０によって示すことができる。ユーザは、特徴的な配置位置に配置する対象の装飾部品１６をマーク６０に基づいて位置決めし、加工布７３上に配置することができるので、刺繍模様１５と全ての装飾部品１６との位置合わせを容易に行うことができる。
【００３５】
以下、図７を参照し、標示処理について説明する。ユーザがミシン１の電源を入れると、ミシン１のＣＰＵ８１は、ＲＯＭ８２に記憶された標示処理を含む各種プログラムを実行する。本実施形態の標示処理は、ＰＣ１０から送信される刺繍データ及び基準データに基づいて、刺繍模様１５の縫製とマーク６０の標示を行う処理である。標示処理において、ＣＰＵ８１は、他のプログラムの実行と並行して、刺繍データ及び基準データの受信待ちをする。
【００３６】
ＰＣ１０のＣＰＵは、ユーザの操作に基づいて刺繍データ、形成データ及び基準データを作成する。ＰＣ１０のＣＰＵは、切断装置１１に形成データを送信する。形成データを受信した切断装置１１は、上記のように、複数の装飾部品１６同士を互いに位置決めするための複数の穴部１９を保持体１８に形成する。また、ＰＣ１０のＣＰＵは、ミシン１に、刺繍データ及び基準データを送信する。なお、加工布７３に刺繍模様１５を作成するが、装飾模様１７の作成を行わない場合、基準データが作成されないので、ＰＣ１０のＣＰＵは、ミシン１に刺繍データを送信する。
【００３７】
ミシン１のＣＰＵ８１は、ＰＣ１０から受信した刺繍データ、又は、刺繍データ及び基準データをＲＡＭ８３に記憶する（Ｓ１）。ＣＰＵ８１は、ＬＣＤ３１に、加工布７３を挟持した刺繍枠７をキャリッジ６２の枠ホルダ６３に装着させる指示を表示する。ユーザは、ＬＣＤ３１に表示されたメッセージに従って刺繍枠７を枠ホルダ６３に装着したら、タッチパネル３２を操作し、縫製開始を報せる入力を行う。ＣＰＵ８１は、Ｘ軸モータ６５及びＹ軸モータ６４を駆動し、移送機構６で刺繍枠７を原点位置に（図１参照）に移送させる（Ｓ３）。
【００３８】
ＣＰＵ８１は、上下動モータ５０を駆動し、押え棒５３を下げて押え足５３Ａを加工布７３に当接させる（Ｓ５）。ＣＰＵ８１は、刺繍データに従って刺繍枠７を移送しながらミシンモータ３３を駆動して、針棒上下動機構５５及び釜機構２２を駆動する。刺繍枠７に挟持された加工布７３に、刺繍模様１５が縫製される（Ｓ７）。
【００３９】
刺繍データに基づく縫製処理を完了したら、ＣＰＵ８１は、ＲＡＭ８３に、縫製処理で用いた刺繍データと関連する基準データが記憶されているか否か判断する（Ｓ９）。ＰＣ１０で作成された刺繍データが装飾模様１７を形成するためのものでなく、ＲＡＭ８３に基準データが記憶されていない場合（Ｓ９：ＮＯ）、ＣＰＵ８１は、標示処理を終了する。ユーザは、上下レバー５４を操作して押え棒５３を上げ、押え足５３Ａを加工布７３から離す。ユーザは、移送機構６から刺繍枠７を取り外し、刺繍枠７から加工布７３を取り出して、刺繍模様１５が形成された加工布７３を得る。
【００４０】
ＲＡＭ８３に基準データが記憶されている場合（Ｓ９：ＹＥＳ）、ＣＰＵ８１は、上下動モータ５０を駆動し、押え棒５３を上げて押え足５３Ａを加工布７３から離す（Ｓ１１）。ＣＰＵ８１は、Ｘ軸モータ６５及びＹ軸モータ６４を駆動し、刺繍枠７を退避位置に（図３参照）に移送させる（Ｓ１３）。
【００４１】
ＣＰＵ８１は、レーザ発光器５９を駆動して赤色光を出射させながら、基準データに従って移動モータ５８を駆動し、赤色光の出射方向及び前後方向の長さを調整する。前述したように、基準データでは、特徴的な配置位置を有する装飾部品１６Ａ，１６Ｂの座標データが示される。図８に示すように、退避位置に移送された刺繍枠７が挟持する加工布７３上に赤色光が照射され、光のマーク６０が標示される（Ｓ１５）。マーク６０は、前後方向前側の端部６０Ａが、装飾部品１６Ａの配置位置１５Ａに標示され、前後方向後側の端部６０Ｂが、装飾部品１６Ｂの配置位置１５Ｂに標示される。前述したように、刺繍模様１５の縫製位置、及び装飾部品１６Ａ，１６Ｂの配置位置の座標を特定する刺繍座標系は、ワールド座標系に関連付けられている。また、マーク６０を形成する赤色光の照射位置の座標を特定する照射座標系は、ワールド座標系に関連付けられている。よって、ＣＰＵ８１は、マーク６０の前後方向両側の端部６０Ａ，６０Ｂを標示する位置によって、装飾部品１６Ａ，１６Ｂの配置位置を示すことができる。
【００４２】
図７に示すように、ＣＰＵ８１は、ＬＣＤ３１に、装飾部品１６の配置完了を報せる操作の入力を受け付ける領域を示す画像を表示し、入力を待機する（Ｓ１７：ＮＯ）。ユーザは、前述のＤ過程で下面に複数の装飾部品１６を接着した転写シート２０を、刺繍枠７に挟持された加工布７３上に運ぶ。ユーザは、装飾部品１６Ａ，１６Ｂを、マーク６０の両側の端部６０Ａ，６０Ｂが標示された位置に合わせて配置する。装飾部品１６Ａ，１６Ｂは夫々、配置位置１５Ａ，１５Ｂに配置される。なお、ＣＰＵ８１は、基準データに基づいて、複数の装飾部品１６を示す画像をＬＣＤ３１に表示し、特徴的な配置位置として認識された装飾部品１６Ａ，１６Ｂの画像を強調表示してもよい。この場合、ユーザは、ＬＣＤ３１の表示に基づき、複数の装飾部品１６のうちの装飾部品１６Ａ，１６Ｂを容易に特定することができる。転写シート２０に接着された複数の装飾部品１６は、Ｂ過程において保持体１８の穴部１９に配置されたときに、夫々の位置関係が穴部１９の形成位置によって位置決めされている。従って、装飾部品１６Ａ，１６Ｂが夫々配置位置１５Ａ，１５Ｂに配置されることによって、その他の装飾部品１６も、刺繍模様１５の縫製位置に対応する配置位置に夫々位置決めされて配置される。
【００４３】
ユーザは、装飾部品１６の配置を完了したら、タッチパネル３２を操作して、配置完了を報せる操作を行う。ＣＰＵ８１は、配置完了を報せる操作の入力を受け付けたら（Ｓ１７：ＹＥＳ）、照射機構５７によるマーク６０の標示を停止し（Ｓ１９）、標示処理を終了する。ユーザは、移送機構６から刺繍枠７を取り外し、転写シート２０が配置された加工布７３を刺繍枠７から取り出す。ユーザは、アイロン等による加熱処理（Ｆ過程）を行い、装飾部品１６を加工布７３に固着させる。ユーザは、転写シート２０を取り除き（Ｇ過程）、装飾模様１７が形成された加工布７３を得る。
【００４４】
以上説明したように、本実施形態のミシン１によれば、ユーザは、加工布７３上に装飾部品１６を配置する場合に、マーク６０によって特定される配置位置１５Ａ，１５Ｂに装飾部品１６Ａ，１６Ｂを配置するだけで、容易に、刺繍模様１５の縫製位置に対する装飾部品１６の配置位置を正しい位置関係とすることができる。
【００４５】
また、形成データに基づき形成された保持体１８の穴部１９の形成位置と、刺繍データに基づき縫製された刺繍模様１５の縫製位置とが正しい位置関係であるので、ユーザは、保持体１８によって位置決めされた装飾部品１６を、容易に、刺繍模様１５の縫製位置に対する正しい位置に配置することができる。
【００４６】
また、ユーザは、２つ装飾部品１６Ａ，１６Ｂをマーク６０の両側の端部６０Ａ，６０Ｂに夫々合わせて配置するだけで、容易に、全ての装飾部品１６を刺繍模様１５の縫製位置に対する正しい位置に配置することができる。
【００４７】
また、ユーザは、光の照射形状によって表されるマーク６０にあわせて加工布７３上に装飾部品１６を配置するだけで、容易に、装飾部品１６を正しい位置に配置することができる。
【００４８】
本実施形態において、加工布７３が、本発明の「縫製対象物」に相当する。針棒上下動機構５５及び釜機構２２が、本発明の「縫製部」に相当する。Ｓ１の処理において基準データを取得するＣＰＵ８１が、本発明の「第一取得手段」に相当する。照射機構５７を駆動して光のマーク６０を標示するＣＰＵ８１が、本発明の「標示手段」に相当する。照射機構５７が、本発明の「照射部」に相当する。
【００４９】
なお、本発明は上記実施形態に限定されず、種々の変更を加えることが可能である。上述の標示処理（図７参照）は、ＣＰＵ８１によって実行される例に限定されず、他の電子部品（例えばＡＳＩＣ（Application Specific Integrated Circuit）、ＦＰＧＡ（Field Programmable Gate Array）等）によって実行されてもよい。
【００５０】
本発明の第一変形例によれば、標示処理において、ＣＰＵ８１は、例えばイメージセンサ５６で撮像した刺繍模様１５の画像に、配置位置１５Ａ，１５Ｂに対応する位置を示すマーク画像を重ねてＬＣＤ３１に標示してもよい。例えば、図９に示すように、標示処理のＳ１３で刺繍枠７を退避位置に移送したら、ＣＰＵ８１は、イメージセンサ５６で、退避位置に移送された刺繍枠７の内枠７１内を撮像する。ＣＰＵ８１は、撮像した画像を、ＬＣＤ３１に表示する（Ｓ１４）。前述したように、イメージセンサ５６の撮像画像の座標を特定する座標系は、ワールド座標系に関連付けられている。よって、ＣＰＵ８１は、装飾部品１６Ａ，１６Ｂの配置位置に対応する位置を、ＬＣＤ３１に表示した撮像画像上の位置に対応付けることができる。ＣＰＵ８１は、基準データに基づいて、装飾部品１６Ａ，１６Ｂの夫々の配置位置１５Ａ，１５Ｂに対応する位置を示すマーク画像を、撮像画像に重ねてＬＣＤ３１に表示する（Ｓ１６）。ＣＰＵ８１は、ＬＣＤ３１に、装飾部品１６の配置完了を報せる操作の入力を受け付ける領域を示す画像を表示し、処理をＳ１４に戻して入力を待機する（Ｓ１７：ＮＯ）。
【００５１】
ユーザは、Ｄ過程（図６参照）で下面に複数の装飾部品１６を接着した転写シート２０を、刺繍枠７に挟持された加工布７３上に運ぶ。イメージセンサ５６によって転写シート２０と装飾部品１６が加工布７３上に位置する様子を示す画像が撮像され、ＬＣＤ３１に表示される。なお、転写シート２０は透明のシートであるものとする。ユーザは、転写シート２０を移動して、装飾部品１６Ａ，１６Ｂを示すマーク画像の位置に、装飾部品１６Ａ，１６Ｂが重なるように、ＬＣＤ３１を見ながら位置を調整する。ユーザは、マーク画像と装飾部品１６Ａ，１６Ｂとが重なって表示される位置で、転写シート２０を加工布７３上に配置する。これにより、装飾部品１６Ａ，１６Ｂは夫々、配置位置１５Ａ，１５Ｂに配置される。その他の装飾部品１６も、刺繍模様１５の縫製位置に対応する配置位置に夫々位置決めされて配置される。ＣＰＵ８１は、配置完了を報せる操作の入力を受け付けたら（Ｓ１７：ＹＥＳ）、ＬＣＤ３１の表示を終了し（Ｓ２０）、標示処理を終了する。ユーザは、移送機構６から刺繍枠７を取り外し、Ｆ過程、Ｇ過程（図６参照）を経て、装飾模様１７が形成された加工布７３を得る。
【００５２】
このように、ユーザは、ＬＣＤ３１の表示を見ながらマーク画像にあわせて加工布７３上に装飾部品１６を配置するだけで、容易に、装飾部品１６を正しい位置に配置することができる。なお、第一変形例においては、ＬＣＤ３１にマーク画像を表示するＣＰＵ８１が、本発明の「標示手段」に相当する。また、イメージセンサ５６が、本発明の「撮像部」に相当する。ＬＣＤ３１が、本発明の「表示部」に相当する。
【００５３】
なお、第一変形例において、ＣＰＵ８１は、Ｓ１４の処理で、刺繍模様１５を撮影した画像の代わりに、刺繍データに基づいて刺繍模様１５の縫製位置を示す画像を作成し、ＬＣＤ３１に表示してもよい。この場合、ＣＰＵ８１は、Ｓ１６の処理で、装飾部品１６Ａ，１６Ｂの夫々の配置位置１５Ａ，１５Ｂに対応する位置を示すマーク画像を、縫製位置を示す画像に重ねて表示すればよい。例えば、転写シート２０が不透明のシートであり、転写シート２０を介して刺繍模様１５を撮影することができない場合でも、ＣＰＵ８１は、転写シート２０の撮影画像に重ねてマーク画像と縫製位置を示す画像とを表示することができる。
【００５４】
また、本発明の第二変形例によれば、標示処理において、ＣＰＵ８１は、例えば、装飾部品１６１〜１６３の配置位置を示す目印となる縫目１５１〜１５３を加工布１７３に縫製してもよい。例えば、図１０に示すように、刺繍模様１１５と組み合わせて装飾模様を形成するための装飾部品１１６とは別に、装飾部品１１６の配置位置の位置決めに用いる装飾部品１６１〜１６３を用意する。ＰＣ１０のＣＰＵは、装飾部品１１６の配置位置を特定するための第一穴部１１９の形成位置を示す第一形成データと、装飾部品１６１〜１６３の配置位置を特定するための第二穴部１９１〜１９３の形成位置を示す第二形成データとを含む形成データを作成する。このとき、ＰＣ１０のＣＰＵは、第二穴部１９１〜１９３の形成位置が、第一穴部１１９の形成位置の全てを含む最小の矩形領域Ｒよりも外側に位置するように、第二形成データを作成する。これにより、Ｆ過程（図６参照）において、アイロン等による加熱処理を行う場合に、装飾部品１６１〜１６３が加工布１７３に固着しないように加熱処理を行うことが容易になる。切断装置１１は、Ａ過程（図６参照）において、形成データに従って保持体１１８に第一穴部１１９及び第二穴部１９１〜１９３を形成する。
【００５５】
ＰＣ１０のＣＰＵは、第二穴部１９１〜１９３の形成位置に対応し、目印となる縫目１５１〜１５３を縫製する位置の座標を示す基準データと、刺繍模様１１５を縫製するための刺繍データとを作成し、ミシン１に送信する。ミシン１のＣＰＵ８１は、刺繍データに基づいて加工布１７３に刺繍模様１１５を縫製する。ＣＰＵ８１は、更に、基準データに基づいて、加工布１７３に縫目１５１〜１５３を夫々縫製する。これにより、加工布１７３に、装飾部品１６１〜１６３の配置位置を特定するための目印が形成される。なお、縫目１５１〜１５３は、装飾模様の完成後に容易に加工布１７３から解くことができるパターン（例えば、挟み等で切断しやすいように、針落ち点間の距離を装飾部品の外径よりも大きく確保する等）で縫製することが望ましい。
【００５６】
ユーザは、Ｄ過程において、保持体１１８の第一穴部１１９及び第二穴部１９１〜１９３に保持された装飾部品１１６，１６１〜１６３を、転写シート１２０に接着する。Ｅ過程において、ユーザは、装飾部品１６１〜１６３を夫々、縫目１５１〜１５３上に載置されるように、転写シート１２０を加工布１７３上に配置する。Ｆ過程において、ユーザは、装飾部品１６１〜１６３を加熱しないように、装飾部品１１６に対して加熱処理を行う。Ｇ過程において、転写シート１２０を取り除く際に、ユーザは、固着していない装飾部品１６１〜１６３を回収することができる。ユーザは、挟み等を用い、縫目１５１〜１５３を解くことで、装飾部品１１６のみが加工布１７３に固着して刺繍模様１１５と組み合わされた装飾模様が形成された加工布１７３を得ることができる。
【００５７】
このように、ユーザは、目印用の縫目１５１〜１５３にあわせて装飾部品１６１〜１６３を配置するだけで、容易に、加工布１７３上に装飾部品１１６を正しい位置に配置することができる。
【００５８】
また、ミシン１は、刺繍模様１１５に対応する装飾部品１１６を配置する第一穴部１１９とは異なる第二穴部１９１〜１９３に対応する配置位置を、装飾部品１６１〜１６３の位置決めに用いることができる。よってユーザは、装飾部品１１６の全体の形状にとらわれずに、第二穴部１９１〜１９３に対応する装飾部品１６１〜１６３を縫目１５１〜１５３にあわせて配置するだけで、容易に、全ての装飾部品１１６を刺繍模様１１５の縫製位置に対する正しい位置に配置することができる。
【００５９】
また、第二穴部１９１〜１９３の形成位置は、第一穴部１１９の形成位置の全てを含む最小の矩形領域Ｒよりも外側に位置する。このため、ユーザは、第二穴部１９１〜１９３に対応する装飾部品１６１〜１６３を縫目１５１〜１５３にあわせて配置しやすいので、容易に、全ての装飾部品１１６を刺繍模様１１５の縫製位置に対する正しい位置に配置することができる。また、第一穴部１１９に対応する装飾部品１１６が第二穴部１９１〜１９３に対応する装飾部品１６１〜１６３と離れて配置されるので、ユーザは、第一穴部１１９に対応する装飾部品１１６を加工布１７３にアイロン等で熱処理して固定する作業を行いやすい。なお、第二変形例において、基準データに基づいて縫目１５１〜１５３を縫製するＣＰＵ８１が、本発明の「標示手段」に相当する。
【００６０】
第二変形例において、縫目１５１〜１５３は、例えば十字状に形成されてもよく、装飾部品１６１〜１６３の配置位置が特定できればよい。また、第二変形例において、装飾部品１６１〜１６３の底面積よりも大きく、且つ加工布１７３の表面を完全に覆うことのできる縫目１５１〜１５３を縫製し、目印を標示してもよい。この場合、Ｆ過程において、ユーザは、装飾部品１６１〜１６３を含め、装飾部品１１６に対して加熱処理を行ってもよい。加熱処理によって、装飾部品１１６の底面は加工布１７３の表面に固着する。また、装飾部品１６１〜１６３の底面は、夫々、縫目１５１〜１５３に固着する。従ってユーザは、縫目１５１〜１５３を解くことで、縫目１５１〜１５３ごと装飾部品１６１〜１６３を加工布１７３から取り除くことができる。
【００６１】
また、本発明の第三変形例によれば、ミシン１は、保持体１８に穴部１９を形成することができる形成部を備えてもよい。例えば、図１１に示すように、ミシン１の針棒５１に、切断針装置２１１を装着する。切断針装置２１１は、保持体１８に穴部１９を形成することができる切断針２１２を備える。切断針２１２は、上下方向に棒状に延び、先端部（下端部）に所定幅の刃先が形成されている。切断針装置２１１は、本体部２１３と取付部２１４を備える。本体部２１３は、下端から切断針２１２の先端部を下方に突出させた状態で、切断針２１２の基端部を支持する。
【００６２】
取付部２１４が、縫針５２が装着されていない針棒５１に固定されることで、切断針装置２１１が針棒５１に固定される。切断針装置２１１が針棒５１に固定された状態では、切断針２１２の中心軸Ｙの位置は、針棒５１の中心軸Ｘの位置に対し、前側に所定距離だけオフセットした位置である。従って、形成データにおける形成座標系の原点位置は、刺繍データにおける刺繍座標系の原点位置からオフセット分ずらした位置で設定すればよい。
【００６３】
保持体１８に穴部１９を形成する場合、ユーザは、針棒５１に切断針装置２１１を固定し、移送機構６の枠ホルダ６３に、保持体１８を、例えば取り付け部品を介して取り付ける。ミシン１のＣＰＵ８１は、形成データに基づいて、Ｘ軸モータ６５及びＹ軸モータ６４を駆動し、移送機構６によって保持体１８を移送しながら、ミシンモータ３３を駆動し、切断針装置２１１が固定された針棒５１を上下動する。切断針２１２は、保持体１８を切断して複数の円形の切り欠きを設け、複数の穴部１９を形成することができる。なお、切断針２１２は、例えば、装飾部品１６の外径よりも若干大きな直径の穴部１９を形成することができるポンチ状の刃先を有してもよい。このように、ＣＰＵ８１は、切断針装置２１１を用いて保持体１８に穴部１９を形成した後、ユーザに、針棒５１に縫針５２を装着させ、本実施形態と同様に、標示処理を行えばよい。なお、ＰＣ１０のＣＰＵから送信される形成データを受信するミシン１のＣＰＵ８１が、本発明の「第二取得手段」に相当する。また、切断針装置２１１が、本発明の「形成部」に相当する。
【００６４】
このように、ミシン１は切断針装置２１１の切断針２１２で、保持体１８に凹部形成ではなく開口部形成によって穴部１９を形成するので、穴部形成に要する力加減の調整が容易である。
【００６５】
本発明の第四変形例によれば、基準データにおいて用いる特徴的な装飾部品は、２つに限らず、３つ以上あるとよい。この場合、３つ以上の装飾部品に対応し、保持体１８に形成する穴部１９の形成位置が、夫々の形成位置を頂点とする多角形（３つの場合、三角形）が、非正多角形（３つの場合、非正三角形）となるように、ＰＣ１０のＣＰＵは、夫々の形成位置を決定するとよい。この構成によって、ユーザが特徴的な装飾部品の配置位置を光のマーク６０に基づいて位置決めする際に、ユーザは、装飾部品１６の平面方向における向きを容易に特定することができる。
【００６６】
また、本発明の第五変形例によれば、ミシン１のＣＰＵ８１は、ＰＣ１０のＣＰＵが実行するアプリケーションと同様のプログラムを実行し、刺繍データ、切断データ及び基準データを作成してもよい。例えば、ＣＰＵ８１は、ＬＣＤ３１に刺繍模様１５を示す画像を表示し、ユーザによるタッチパネル３２の操作を受け付けて、刺繍模様１５の形状を編集する。ＣＰＵ８１は、編集結果に基づいて、刺繍模様１５を形成するための刺繍データを作成すればよい。また、ＣＰＵ８１は、ＬＣＤ３１に装飾部品１６を示す画像を表示し、ユーザによるタッチパネル３２の操作を受け付けて、装飾部品１６同士の位置関係を決定する。ＣＰＵ８１は、装飾部品１６同士の位置関係に基づき、保持体１８に穴部１９を形成するための形成データを作成すればよい。ＣＰＵ８１は、更に、本実施形態と同様に、縫製データと形成データとに基づいて基準データを作成すればよい。また、ミシン１は、切断装置１１とＵＳＢケーブルを介して接続し、形成データを切断装置１１に送信してもよい。或いは、上記の第三変形例のように、ミシン１は、針棒５１に切断針装置２１１を装着し、形成データに基づいて、保持体１８に穴部１９を形成してもよい。
【００６７】
本発明の第六変形例によれば、照射機構５７は、赤色光を前後方向に広げた線状のマーク６０を形成するだけでなく、例えば十字状のマークを形成できてもよい。
【００６８】
また、本実施形態では、装飾部品１６の一例としてラインストーンを挙げたが、装飾部品１６はラインストーンに限らない。例えば、アイロン等の加熱によって布等に接着することができるスタッズ（iron on studs）、レース（lase applique）、転写シート（iron print sheet）等、アップリケやワッペンを装飾部品１６として本発明に適用してもよい。また、装飾部品１６は、加工布７３にアイロン等で接着するものでなくてもよい。例えば、面ファスナー等を用い、装飾部品１６を加工布７３に保持させるだけでもよい。或いは、本発明を用いて装飾部品１６を刺繍模様１５に位置決めし、ホットボンド等で加工布７３に固定してもよい。若しくは、装飾部品１６としてビーズ、ボタン等を適用し、本発明を用いて刺繍模様１５に位置決めした後、ビーズ、ボタン等を加工布７３に縫い付けて固定してもよい。また、装飾部品１６の数は、複数でなくともよい。
【符号の説明】
【００６９】
１                          ミシン
１０Ｂ                      キーボード
１０Ｃ                      マウス
１５                        刺繍模様
１６                        装飾部品
１８                        保持体
１９                        穴部
２２                        釜機構
３１                        ＬＣＤ
５５                        針棒上下動機構
５６                        イメージセンサ
５７                        照射機構
６０                        マーク
７３                        加工布
８１                        ＣＰＵ
１５１〜１５３              縫目
２１１                      切断針装置
【図１】
2016140678.tif 000003
【図２】
2016140678.tif 000004
【図３】
2016140678.tif 000005
【図４】
2016140678.tif 000006
【図５】
2016140678.tif 000007
【図６】
2016140678.tif 000008
【図７】
2016140678.tif 000009
【図８】
2016140678.tif 000010
【図９】
2016140678.tif 000011
【図１０】
2016140678.tif 000012
【図１１】
2016140678.tif 000013